(57)【要約】  【課題】  発熱体を直接シールドすることが困難な面状発熱体を備える床暖房付フリーアクセスフロアとした際に、長時間床面に直接身体を密着させることが可能な程度に電磁波を遮蔽する床暖房付フリーアクセスフロアを提供することである。【解決手段】  断熱材２と、面状発熱体としてのＰＴＣ面状遠赤外線発熱体３と、絶縁シート４とを順に重ねると共に、これらを一体的に被覆する金属製保護ケーシング５とから構成される暖房部材１を備える床暖房付フリーアクセスフロアであって、前記金属製保護ケーシングの一方の側部に、隣り合う金属製保護ケーシング同士を導電体で接続すると共に、複数の一連の金属製保護ケーシングを接続した導電体を接地する構成とした。【選択図】    図１
2005200903.tif 000002
【特許請求の範囲】
【請求項１】
断熱材と、面状発熱体と、絶縁シートとを順に重ねると共に、これらを一体的に被覆する金属製保護ケーシングとから構成される暖房部材を備え、下方に向けて脚部を突設した支持台に前記暖房部材とタイルカーペットを順に敷設して構成する床暖房付フリーアクセスフロアであって、
複数の暖房部材を設置する際に、隣り合う金属製保護ケーシング同士を導電体で接続すると共に、前記導電体を接地する構成としたことを特徴とする床暖房付フリーアクセスフロア。
【請求項２】
前記金属製保護ケーシングが金属板の四方を折り曲げて箱状に形成したものであって、折込んだ一方の側部に切欠部を設け、該切欠部に前記導電体として電線を挿通する構成としたことを特徴とする請求項１に記載の床暖房付フリーアクセスフロア。
【請求項３】
前記箱状の金属製保護ケーシング二枚をその開口部同士を向かい合わせにしてケース体を形成し、そのケース体内に前記断熱材と、前記面状発熱体と、前記絶縁シートとを順に重ねて収納する構成としたことを特徴とする請求項２に記載の床暖房付フリーアクセスフロア。
【請求項４】
前記電線の両端部にそれぞれ圧着端子と接続端子とを装着し、前記圧着端子部を前記金属製保護ケーシングにビス止めすると共に、隣り合う前記接続端子同士を接続する構成としたことを特徴とする請求項２または３に記載の床暖房付フリーアクセスフロア。
【発明の詳細な説明】
【技術分野】
【０００１】
本発明は、事務所等の床材として採用されているフリーアクセスフロアに係り、特に面状発熱体を備えていると共に、電磁波を発散させない構成とした床暖房付フリーアクセスフロアに関するものである。
【背景技術】
【０００２】
最近では、事務所等においては、ＯＡ機器への配線を床下に通すため、また机やＯＡ機器の配置位置に応じた配線変更を簡単に行うことができるように、配線用の床下空間を設けた二重床構造のフリーアクセスフロアが一般的に床材として採用されている。
【０００３】
一般に、部屋内の空調にはエアコン等により集中的な空調が行われている。そのために、室内の全てが均一な室温になっていることはなく、場所によってかなりの温度差が生じている。特に冬季には、温調による暖気が床面に行き渡らず、また、夏季には、冷気が床面に滞るために、快適さが損なわれている。
【０００４】
また、最近ではパソコン等のＯＡ機器が増えてきており、室内の温度も人に最適な温度とすることより、高価なＯＡ機器に適当な温度に設定する場合もある。特にパソコン等は使用時間が長くなると発熱量が増加するために、室内温度を割りと低く設定する場合が多い。
【０００５】
そのために、特に人がいる床上付近を部分的に暖房する要求がある等、室内の特定のフロアを部分的に暖房したい場合があり、特定の場所のフロアのみを床暖房付きフロアに変更したいことがある。またこの例として、面発熱体を付設した配線用二重床が公開されている（例えば、特許文献１参照）。
【０００６】
さらには、発熱線から発生する電磁波をシールドするために前記発熱線を導電体で被覆した構成の発熱体を備える面状採暖具が既に公開されている（例えば、特許文献２参照）。
【特許文献１】特開平６−３４１６５５号公報（第１−３頁、第１図）
【特許文献２】実開平５−６７７９号公報（第１−２頁、第２図）
【発明の開示】
【発明が解決しようとする課題】
【０００７】
家電製品やＯＡ機器等の電気装置が増加すると、それらから発せられる電磁波に関心が寄せられるようになってきており、さらには、電磁波が人の身体に悪影響を与えるのではないかと懸念されている。
【０００８】
特に、床に直接暖房部材を配設する構成とした場合には、床上に位置する人に絶えず電磁波を放射する懸念があり、該暖房部材からの電磁波はできるだけ抑止するか若しくは遮断したい。
【０００９】
発熱線を蛇行状に配設して面状発熱体を構成した特許文献２に記載した例では、前記発熱線を導電体で被覆した構成として、電磁波をシールドするとしているが、シート状の発熱体からなる面状発熱体では、前記面状発熱体を導電体で被覆することは困難である。
【００１０】
また、半導体インクからなる発熱材を密封した薄いフィルム状の面状発熱体からも２ｍＧ（ミリガウス）程度の電磁波が発散されている場合がある。
【００１１】
一般の自然環境下では１ｍＧ（ミリガウス）程度の電磁波強度であるが、通常のガイドラインでは２ｍＧ（ミリガウス）以下であれば人体に悪影響は与えないとされている。しかし、前記面状発熱体が配設される床面に直接身体を密着させた場合には、長時間に渡って至近距離から電磁波を浴びることになるために、１ｍＧ（ミリガウス）以下に抑制することが望まれる。
【００１２】
本発明の目的は、上記問題点を解消するために、発熱体を直接シールドすることが困難な面状発熱体を備える床暖房付フリーアクセスフロアとした際に、長時間床面に直接身体を密着させることが可能な程度に電磁波を遮蔽する床暖房付フリーアクセスフロアを提供することである。
【課題を解決するための手段】
【００１３】
上記の目的を達成するために請求項１に係る発明は、断熱材と、面状発熱体と、絶縁シートとを順に重ねると共に、これらを一体的に被覆する金属製保護ケーシングとから構成される暖房部材を備え、下方に向けて脚部を突設した支持台に前記暖房部材とタイルカーペットを順に敷設して構成する床暖房付フリーアクセスフロアであって、複数の暖房部材を設置する際に、隣り合う金属製保護ケーシング同士を導電体で接続すると共に、前記導電体を接地する構成としたことを特徴としている。
【００１４】
上記の構成を有する請求項１に係る発明によれば、面状発熱体を備える暖房部材であっても、面状発熱体が発する電磁波を人体に無害な程度に低減することができる。
【００１５】
請求項２に係る発明は、前記金属製保護ケーシングが金属板の四方を折り曲げて箱状に形成したものであって、折込んだ一方の側部に切欠部を設け、該切欠部に前記導電体として電線を挿通する構成としたことを特徴としている。
【００１６】
上記の構成を有する請求項２に係る発明によれば、暖房したい部分の床部分を床暖房付フリーアクセスフロアに変更する際にも、容易に交換可能であると共に、見映え良く均一に床暖房することができる一体構成の床暖房付フリーアクセスフロアとすることができる。さらに、設置した床暖房付フリーアクセスフロアの上を人が歩いたり、また、物を置いたりしても十分耐強度を備える床暖房付フリーアクセスフロアとすることができる。
【００１７】
請求項３に係る発明は、前記箱状の金属製保護ケーシング二枚をその開口部同士を向かい合わせにしてケース体を形成し、そのケース体内に前記断熱材と、前記面状発熱体と、前記絶縁シートとを順に重ねて収納する構成としたことを特徴としている。
【００１８】
上記の構成を有する請求項３に係る発明によれば、面状発熱体全体を金属製のケース体で被覆してシールドする構成となると共に、ケース体に接続した電線により確実に接地することができ、前記発熱体から発せられる電磁波を確実に低減することができる。
【００１９】
請求項４に係る発明は、前記電線の両端部にそれぞれ圧着端子と接続端子とを装着し、前記圧着端子部を前記金属製保護ケーシングにビス止めすると共に、隣り合う前記接続端子同士を接続する構成としたことを特徴としている。
【００２０】
上記の構成を有する請求項４に係る発明によれば、複数の暖房部材を配設する床暖房付フリーアクセスフロアとしても、全てのケーシングに接続した電線を接地することで、全ての暖房部材から拡散される電磁波を効率よく低減することができる。
【発明の効果】
【００２１】
上記したように本発明によれば、面状発熱体と絶縁シートと断熱材を一体的に金属製保護ケーシングで被覆する構成としており、さらに、隣り合う金属製保護ケーシング同士を導電体で接続すると共に、複数の一連の金属製保護ケーシングを接続した導電体を接地する構成としているので、任意のフロア位置に設置可能であると共に、面状発熱体が発する電磁波を人体に無害な程度に低減することができる。さらに、人が歩いたり、物を載置することができる、耐強度のある床暖房付フリーアクセスフロアとすることができる。
【発明を実施するための最良の形態】
【００２２】
発熱体を直接シールドすることが困難な面状発熱体を備える床暖房付フリーアクセスフロアとした際に、長時間床面に直接身体を密着させることが可能な程度に電磁波を遮蔽する床暖房付フリーアクセスフロアを得るという目的を、断熱材と、面状発熱体と、絶縁シートとを順に重ねると共にこれらを一体的に被覆する金属製保護ケーシングとから構成される暖房部材とすると共に、複数の暖房部材を設置する際に、隣り合う金属製保護ケーシング同士を導電体で接続すると共に、前記導電体を接地する構成とすることで実現した。
【実施例】
【００２３】
以下、本発明に係る床暖房付フリーアクセスフロアの実施例について、図１から図６に基づいて説明する。
【００２４】
図１より本発明に係る床暖房付フリーアクセスフロアについて説明する。二重床構造として配線用空間を構成するための樹脂製支持台６の上に暖房部材１を載置して、その上にタイルカーペット７を敷設してフロアを形成する。
【００２５】
樹脂製支持台６の四方の側部にはそれぞれに、Ｕ溝状の切欠部６ｂが複数設けられていて、床上に設置するＯＡ機器や電気装置への配線用通路となっており、前記樹脂製支持台６の脚部６ａにより形成される床下の下部空間内にて配線することで容易に行うことができる。
【００２６】
ここで暖房部材１は、金属板の四方を折り曲げて箱状に形成した金属製保護ケーシング５内に、断熱材２と、面状発熱体として採用するＰＴＣ面状遠赤外線発熱体３と、絶縁シート４とが納められて一体的にユニット構成されたものである。
【００２７】
前記金属製保護ケーシング５は、後述するように、前記発熱体３の発生する熱を床面に均等に伝熱する均熱板であると共に、床面の強度を向上するための保護板であり、単に平面状の板材であってもよい。ただし、上記のように箱状とした内部に、断熱材２と、面状発熱体として採用するＰＴＣ面状遠赤外線発熱体３と、絶縁シート４とを一体的に収納した構成とすれば、構造的強度が向上すると共に、一体的にユニット化された暖房部材１として取り扱うことができ好適である。
【００２８】
ＰＴＣ面状遠赤外線発熱体３は図４に示すように、導通性の電極箔を左右から櫛型に配設して、図中の右側電極箔３ａと左側電極箔３ｂを有しており、その間に半導体インクからなる発熱材３ｃを密封した薄いフィルム状シートである。また、その両面はフィルムにより絶縁された構造となっている。
【００２９】
前記ＰＴＣ面状遠赤外線発熱体３は、温度が上昇すると電気抵抗が増大する所謂正熱特性（ＰＴＣと称する）を有する自己温度制御型の発熱体である。もちろん他の薄型電熱ヒーター発熱体でも使用可能であるが、通常の薄型電熱ヒーター発熱体では発熱温度を調整するために、フィードバック制御装置が必要であり高価となる。そのために、複雑な制御なしで、発熱温度を自己調整することが可能なＰＴＣ面状遠赤外線発熱体３を、本発明に係る面状発熱体として採用することが好適である。
【００３０】
また、前記ＰＴＣ面状遠赤外線発熱体３の外方に突出している端子部３Ａを中間部から斜め下方に曲げて、断熱材２に設けられた切欠部２Ａに収容する構成とした。そのために、図中の一部拡大図に示すように、前記端子部３Ａに端子カバー３Ａａが装着されて肥大した分厚い形状となっても、下方に折り曲げられているので、前記ＰＴＣ面状遠赤外線発熱体３の上面側に出っ張ることもなく、前記切欠部２Ａ内に完全に収容することができる。
【００３１】
さらに、隣り合う金属製保護ケーシング５同士を導電体で接続すると共に、複数の一連の金属製保護ケーシング５を接続した導電体を接地する構成としている。本実施例においては前記導電体として電線８を採用しているが、その詳細について図２（ａ）（ｂ）より説明する。
【００３２】
図２（ａ）は金属製保護ケーシング５に電線８を装着したところを示す側面図であり、図２（ｂ）は平面図である。前記電線８はその両端部にそれぞれ圧着端子８Ａと接続端子８Ｂとを備えており、圧着端子８Ａ部を前記金属製保護ケーシング５にビス止めする構成としている。前記ビス止めとは、円環状の前記圧着端子８Ａにビス８を挿入して、前記金属製保護ケーシング５に設けられるネジ孔５ａに固着することである。
【００３３】
ネジ孔５ａに固着された電線８は、前記金属製保護ケーシング５の折込んだ一方の側部に設けられた切欠部５ｂを挿通して、隣の電線８と接続端子８Ｂ同士を接続する構成である。そのために、複数の金属製保護ケーシング５同士を電線８にて接続し導通状態とすることができる。さらには、複数の一連の金属製保護ケーシング５を接続した電線８を接地する構成とすれば、過電流や異常電流を速やかに大地へ拡散させるだけでなく、静電誘導や電磁誘導によるノイズ発生を防ぐことができる。
【００３４】
隣り合う金属製保護ケーシング５同士を金属製の連結版で接続して接地する構成としてもよいが、本発明に係る床暖房付フリーアクセスフロアはその設置する位置によりそれぞれの離間距離が異なる場合があるために、導電体として長さを自由に変更できる電線８を採用すると、離間距離の大小に拘らずに容易に対応可能であり好適である。
【００３５】
さらに図３に示すように、箱状の金属製保護ケーシング５、５Ａの二枚をその開口部同士を向かい合わせにしてケース体ＣＡを形成し、そのケース体内ＣＡａに断熱材２と、面状発熱体３と、絶縁シート４とを順に重ねて収納する構成とすれば、電気回路を導電体（この場合は金属製保護ケーシング５）で囲む（被覆する）構成となり、電気回路から発せられる電磁波が外部に発散するのをさらに低減することができる。
【００３６】
この時に、導電体を接続するのは一方の金属製保護ケーシング５だけでよい。
【００３７】
図４に示すように、ＰＴＣ面状遠赤外線発熱体３は、導通性の右側電極箔３ａと左側電極箔３ｂを有しており、これらの電極箔に通電するリード線３Ｂが、ＰＴＣ面状遠赤外線発熱体３の外方に突出している端子部３Ａから延設している。また、前記端子部３Ａを中間部から斜め下方に曲げて、断熱材２に設けられた切欠部２Ａに収容する構成とした。そのために、端子カバー３Ａａが装着されて肥大した分厚い形状となった前記端子部３Ａでも、前記切欠部２Ａ内に完全に収容することができる。
【００３８】
断熱材２に設ける前記切欠部２Ａは、本実施例においては図に示すように矩形状に設けているが、特にその形状を限定するものではなく、Ｕ溝状の切欠部でも断面半円状の切欠部であってもよい。ただ、下方に曲げた端子部３Ａおよび端子カバー３Ａａを共に収容する程度の大きさがあればよい。
【００３９】
断熱材２は、厚さが５〜２０ｍｍ程度の建材用プラスチック発泡材であって、一般的に床暖房用として使用されている市販の材料である。この断熱材２は前記発熱体３の熱を床下には逃がさずに、床上を効率よく暖房する効果を有する。
【００４０】
絶縁シート４は、合成ゴム又はプラスチック製の厚みが１ｍｍ程（又はそれ以下）の電気絶縁性のシートであって、電気的安全性を完全にするために、前記ＰＴＣ面状遠赤外線発熱体３と金属製保護ケーシング５との間にはさみこんで使用する構成とした。
【００４１】
金属製保護ケーシング５は、四方を下向きに折り曲げて平らな上面を有する箱型ケーシングであって、暖房部材１が組み込まれた床暖房付フリーアクセスフロア上を人が歩いても、また、人が腰掛けたキャスター椅子が乗り上げても、さらにまた、物を置いたりしても、前記発熱体３が損傷しないように保護する部材であり、アルミ合金板あるいは鉄板製のケーシングである。
【００４２】
また、前記発熱体３の有効面積は前記発熱材３ｃが配設された部分であり、床暖房付フリーアクセスフロア全面積に対して小さいが、この金属製保護ケーシング５の伝熱効果により、暖房部材１の床面全面を均一な温度とすることができる。つまり、該金属製保護ケーシング５は、保護板であると共に均熱板でもある。そのために、該金属製保護ケーシング５の素材としては伝熱性のよいアルミ合金が好適である。
【００４３】
さらに、アルミ合金は電気伝導度が優れており、発熱体に通電された際に生じる電磁波を減衰させる効果がある。そこで、厚み２ｍｍのアルミ合金製の金属製保護ケーシング５を用いた場合と用いない場合とで、前記発熱体３に通電した際の外部に発散される電磁波をガウスメータで測定したところ、前記ケーシングが無い場合では１．０〜３．５ｍＧ（ミリガウス）程度の電磁波が計測されたが、前記ケーシングで被覆した際には、その十分の一以下（０．１ｍＧ以下）に低減していることが確認できた。
【００４４】
つまり、本発明によれば、人体に無害とされている１ｍＧ以下の電磁波強度に抑制することができることはもちろん、さらには、床面に位置する人体が長時間に渡って至近距離から浴びてもよい程度にまで電磁波強度を低減することができる。
【００４５】
床暖房時に上記電極箔へ通電されると、櫛状の右側電極箔３ａと左側電極箔３ｂ間の発熱材３ｃが発熱するが、該発熱材３ｃは温度が上昇すると電気抵抗が増大する所謂正熱特性（ＰＴＣと称する）を有しており、温度の上昇と共に消費電力が減少し、所定温度以上には上昇しない自己温度制御型の特徴を有する。そのために、所定の設計温度以上に上昇することはなく、安全であると共に電気効率がよい。
【００４６】
ＰＴＣ面状遠赤外線発熱体３は元々電磁波を生じ難い発熱体であるとされているが、本発明に係る構成とすることで、さらに安全性に優れた床暖房付フリーアクセスフロアとすることができる。
【００４７】
前記暖房部材１の大きさは単独の樹脂製支持台６Ａと同じ大きさとしてもよいが、本実施例においては前記樹脂製支持台６Ａが一辺２５ｃｍ程度の大きさであるので、図１に示すように、２個の樹脂製支持台６Ａと６Ｂとを合わせた幅と長さを備える大きさとし、計４個の小さな樹脂製支持台に同時に敷設する、一辺の長さが５０ｃｍ程度の方形の大きさとした。
【００４８】
つまり、本実施例においては５０ｃｍ角のフリーアクセスフロア毎に床暖房装置を敷設可能な構成としたものである。
【００４９】
もちろん樹脂製支持台６単独の大きさは図５（ａ）に示す従来の樹脂製支持台１０と同じ大きさであり、ただ暖房部材１を装着して従来の樹脂製支持台１０と同じ高さとなるように、その高さを低くして成形したものである。図には従来のフリーアクセスフロアに床暖房付フリーアクセスフロアを組み込んだところを示しているが、図に示すように、樹脂製支持台６の高さＨ２と暖房部材１の高さＨ３との合計を、従来の樹脂製支持台１０の高さＨ１と同じ高さ寸法として、タイルカーペット７を共有して敷設可能な構成とした。そのために、タイルカーペット７を従来のフリーアクセスフロアと床暖房付フリーアクセスフロアとに架け渡すように敷設することが可能となり、床の一部を床暖房付フリーアクセスフロアに改装しても、床に少しの段差も生じず、違和感を感じることもない。
【００５０】
前記タイルカーペット７の大きさは、樹脂製支持台６や１０と同じ大きさでもよいし、また暖房部材１と同じ大きさでもよく、さらには、それ以上の大きさとして、複数の暖房部材１を覆う構成としてもよい。このように、特にその大きさを限定するものではなく、ＯＡ機器や机等のレイアウト変更に伴う配線変更作業時に、めくり易く作業し易い大きさと形状とすればよい。
【００５１】
つまり、従来の樹脂製支持台１０を除去して本発明に係る樹脂製支持台６を設置することができる。そのために、任意の位置に床暖房付フリーアクセスフロアを設置可能な構成となる。
【００５２】
また、図５（ｂ）に示すように、樹脂製支持台６および１０の四方の側部それぞれに、Ｕ溝状の切欠部６ｂが複数設けられていて、床上に設置するＯＡ機器や電気装置への配線用通路となっており、配線ケーブル等が床上に現れない構成である。
【００５３】
そのために、床暖房の無い状態から新たに床暖房付フリーアクセスフロアに変更する際には、基礎床１１上に設置されている従来の樹脂製支持台１０に替えて少し背の低い樹脂製支持台６を設置し、この上に暖房部材１を配設すればよい。この時に、ＰＴＣ面状遠赤外線発熱体３への通電は、先ず一台目のユニットのリード線３Ｂを前記切欠部６ｂを通して下方に垂下して、前記樹脂製支持台６の脚部６ａにより形成される床下の下部空間内にて配線することで容易に行うことができる。
【００５４】
図６に従来のフリーアクセスフロアに床暖房付フリーアクセスフロアが配設される事務所の一例を示しているが、人が位置する部分のみを床暖房付フリーアクセスフロアとしたところを示す平面図である。事務所２０の人が位置する床２１Ａ、２１Ｂ、２１Ｃ、２１Ｄをそれぞれ床暖房付フリーアクセスフロアとし、それぞれのＰＴＣ面状遠赤外線発熱体３をオン・オフする制御装置としてコントローラ１２を配設した例である。
【００５５】
前記コントローラ１２は複数のＰＴＣ面状遠赤外線発熱体３を通電するタイミングと時間をそれぞれ設定することができ、消費電力を低く押えるよう構成されている。
【００５６】
ＰＴＣ面状遠赤外線発熱体３は自己温度制御性能を備えており、発熱温度を自動的にコントロールしている。そのために、温度センサやサーモスタット等が不要となり余分な電装装置がないので、設置する施工工事が簡単になる。また、従来のニクロム線床暖房装置と比較して１／３程度のランニングコストとなることが知られている。
【００５７】
本発明に係る床暖房付フリーアクセスフロアは暖房部材をユニット化した構成であるので、従来のフリーアクセスフロア部分と簡単に交換して設置することができる。そのために、事務所内の机やＯＡ機器等の配置や大きさの変更等に対応して、その床暖房付フリーアクセスフロアのレイアウトを簡単に変更することができる。
【００５８】
また、面状発熱体と絶縁シートと断熱材を一体的に金属製保護ケーシングで被覆する構成としており、さらに、隣り合う金属製保護ケーシング同士を導電体で接続すると共に、複数の一連の金属製保護ケーシングを接続した導電体を接地する構成としているので、任意のフロア位置に設置可能であると共に、面状発熱体が発する電磁波を人体に無害な程度に低減することができる。さらに、人が歩いたり、物を載置することができる、耐強度のある床暖房付フリーアクセスフロアとすることができる。
【００５９】
要するに本発明に係る床暖房付フリーアクセスフロアは、安全で電気効率がよいＰＴＣ面状遠赤外線発熱体を金属製保護ケーシングで被覆して一体的に構成すると共に、前記金属製保護ケーシングを接地する構成としているので、設置が容易であると共に電磁波を人体に無害な程度まで減衰することができ、さらに安全性に優れているという特徴がある。
【図面の簡単な説明】
【００６０】
【図１】本発明に係る床暖房付フリーアクセスフロアの断面図である。
【図２】（ａ）は金属製保護ケーシング５に電線８を装着したところを示す側面図であり、（ｂ）は平面図である。
【図３】箱状の金属製保護ケーシング二枚をその開口部同士を向かい合わせにしてケース体を形成したところを示す側部断面図である。
【図４】面状発熱体の一例を示す平面図である。
【図５】（ａ）には従来のフリーアクセスフロアと本発明に係る床暖房付フリーアクセスフロアとを組み合わせた際の断面図を示し、（ｂ）には樹脂製支持台の平面図を示している。
【図６】本発明に係る床暖房付フリーアクセスフロアが配設される事務所の一例を示す平面図である。
【符号の説明】
【００６１】
１  暖房部材
２  断熱材
３  ＰＴＣ面状遠赤外線発熱体（面状発熱体）
４  絶縁シート
５  金属製保護ケーシング
５ｂ  切欠部
６  樹脂製支持台
６ａ  脚部
７  タイルカーペット
８  電線
８Ａ  圧着端子
８Ｂ  接続端子
９  ビス
ＣＡ  ケース体
【図１】
2005200903.tif 000003
【図２】
2005200903.tif 000004
【図３】
2005200903.tif 000005
【図４】
2005200903.tif 000006
【図５】
2005200903.tif 000007
【図６】
2005200903.tif 000008
【手続補正書】
【提出日】平成16年1月29日(2004.1.29)
【手続補正１】
【補正対象書類名】明細書
【補正対象項目名】００３３
【補正方法】変更
【補正の内容】
【００３３】
ネジ孔５ａに固着された電線８は、前記金属製保護ケーシング５の折込んだ一方の側部に設けられた切欠部５ｂを挿通して、隣の電線８と接続端子８Ｂ同士を接続する構成である。そのために、複数の金属製保護ケーシング５同士を電線８にて接続し導通状態とすることができる。さらには、複数の一連の金属製保護ケーシング５を接続した電線８を接地する構成とすれば、漏電電流を速やかに大地へ拡散させるだけでなく、静電誘導や電磁誘導によるノイズ発生を防ぐことができる。